(57)【要約】【課題】  サブ多機能キーを表示筐体の表示面内における表示画面よりも先端側に設ける場合に、通常オープン状態における通話時に受話音が聴取しづらくなるのを抑制させた携帯通信端末を提供する。【解決手段】  表示画面４が設けられる表示面を有する表示筐体２と、操作面を有する操作筐体３と、両筐体を折り畳み可能に連結する連結部とからなり、表示面内における連結部とは反対側であって表示画面４よりも先端側に設けられ、上下左右の押圧部位に応じて４つの異なる操作入力が可能なサブ多機能キー２２と、表示面内におけるサブ多機能キー２２の周辺部に形成され、通話時に受話音を出力するレシーバー用の音孔１０と、表示筐体２に形成され、サブ多機能キー２２が配置される係合孔２５と、表示面を凹ませて形成され、音孔１０の周辺を係合孔２５及びサブ多機能キー２２間に生じる間隙に接続する受話音伝搬用の溝２４により構成される。【選択図】  図１
2006129192.tif 000002
【特許請求の範囲】
【請求項１】
表示画面が設けられる表示面を有する表示筐体と、操作面を有する操作筐体と、表示筐体及び操作筐体を折り畳み可能に連結する連結部とからなり、
上記表示面内における連結部とは反対側であって表示画面よりも先端側に設けられ、押圧部位に応じて２以上の異なる操作入力が可能な多機能キーと、
上記表示面内における上記多機能キーの周辺部に形成され、通話時に受話音を出力するレシーバー用の音孔と、
上記表示筐体に形成され、上記多機能キーが配置される係合孔と、
上記表示面を凹ませて形成され、上記音孔の周辺を係合孔及び多機能キー間に生じる間隙に接続する受話音伝搬用の溝とを備えたことを特徴とする携帯通信端末。
【請求項２】
上記係合孔は、多機能キーを取り囲む側壁をテーパー状に傾斜させて形成されることを特徴とする請求項１に記載の携帯通信端末。
【請求項３】
上記係合孔及び多機能キー間の間隙が、多機能キーの周囲を取り囲むように形成される音響溝であることを特徴とする請求項１に記載の携帯通信端末。
【請求項４】
上記操作面内に設けられ、上下左右の押圧部位に応じて４つの異なる操作入力が可能なメイン多機能キーを備え、
表示面及び操作面を同一方向に向けて両筐体を展開させた通常オープン状態と、表示面を外側に向けて折り畳んだ逆クローズ状態とを遷移可能な折り畳み式の携帯通信端末であって、
上記表示面内における多機能キーは、上記メイン多機能キーと同一の操作を行うことにより、同一の操作入力を行うことが可能なサブ多機能キーであることを特徴とする請求項１に記載の携帯通信端末。
【請求項５】
上記サブ多機能キーは、表示筐体の中央に配置され、
上記音孔は、通常オープン状態における通話時に縦長状態で用いられる表示筐体において、サブ多機能キーの左側又は右側に配置されることを特徴とする請求項４に記載の携帯通信端末。
【発明の詳細な説明】
【技術分野】
【０００１】
本発明は、携帯通信端末に係り、さらに詳しくは、表示面を有する表示筐体に多機能キー及びレシーバー用の音孔が設けられた折り畳み式携帯電話機などの携帯通信端末の改良に関する。特に、上記音孔が表示面内における多機能キーの周辺部に形成され、通話時における受話音の音響特性を改善した携帯通信端末に関する。
【背景技術】
【０００２】
携帯電話機は、携帯性の向上という観点から、より小型軽量であることが求められている。ところが、操作性を考慮すれば、多数の操作キーからなる操作パネルの小型化には限界がある。加えて、メインディスプレイとなる表示画面の画面サイズについては大型化が求められている。この様な相反する要求を両立させるため、最近の携帯電話機では、表示画面が設けられる表示面を有する表示筐体と、操作パネルが設けられる操作面を有する操作筐体をヒンジによって連結し、表示面及び操作面を対向させて折り畳むことができるものが主流となっている。
【０００３】
さらに、折り畳み用の第１回転軸だけでなく、第１回転軸に直交する第２回転軸を有する２軸ヒンジを用いることにより、表示面を外側に向け、操作面を内側に向けて折り畳めるようにした携帯電話機が従来から提案されている（例えば、特許文献１）。この様な折り畳み式携帯電話機は、メインディスプレイを外側に向けて折り畳めば、折り畳んで端末をコンパクトに収納させた状態であるにもかかわらず、表示画面を閲覧することができるので、極めて便利である。
【０００４】
特に、端末が表示面を外側に向け操作面を内側に向けて折り畳んだ状態（以下、逆クローズ状態という）にあっても、表示面及び操作面を同一方向に向けて両筐体を展開させた状態（以下、通常オープン状態という）におけるのと同様に各種操作が行えれば、より便利である。
【０００５】
そこで、操作筐体における操作面内に設けられる多機能キー（以下、メイン多機能キーという）と同一の操作を行うことにより、同一の操作入力を行うことが可能な多機能キー（以下、サブ多機能キーという）を表示筐体における表示面内に設けることが考えられる。メイン多機能キーは、カーソルの移動や着信履歴の閲覧、リダイヤルなどの操作入力を行うための操作キーであり、上下左右の押圧部位に応じて４つの異なる操作入力が可能な操作キーからなる。この様なメイン多機能キーと同様の操作キーをサブ多機能キーとして表示面に設けることにより、逆クローズ状態においても通常オープン状態におけるのと同様の操作入力が行えるので、操作性を向上させることができる。
【０００６】
しかしながら、上述したサブ多機能キーを表示面内における２軸ヒンジとは反対側であって表示画面よりも先端側に設ける場合、通常オープン状態での通話時に受話音が聴取しづらくなってしまうという問題があった。すなわち、通常オープン状態における通話時に受話音を出力するためのレシーバー用の音孔が設けられる位置にサブ多機能キーを配置しなければならないので、上記音孔をサブ多機能キーの周辺部にずらして配置する必要がある。つまり、表示筐体の中央に対してオフセットさせて音孔を形成しなければならない。
【０００７】
通常、端末操作者は、音孔の位置を確認した上で、音孔に耳を当てて携帯電話機を使用するわけではない。このため、音孔の位置が表示筐体の先端側の中央からずれている場合には、通話時における端末操作者の耳の位置が音孔の位置と一致せず、受話音が聴取しづらくなるという問題があった。特に、通常オープン状態における通話時に、音孔から放出される受話音を聴取しようとすると、音孔の位置がずれているので、端末操作者の耳によって音孔が塞がれてしまうという問題があった。
【特許文献１】特開２００２−１７１１８９号公報
【特許文献２】特開２００３−１６９１３０号公報
【特許文献３】特開２００３−２７３９８９号公報
【発明の開示】
【発明が解決しようとする課題】
【０００８】
上述した通り、従来の折り畳み式携帯電話機では、サブ多機能キーを表示面内における２軸ヒンジとは反対側であって表示画面よりも先端側に設ける場合、通常オープン状態での通話時に受話音が聴取しづらくなるという問題があった。
【０００９】
本発明は、上記事情に鑑みてなされたものであり、多機能キーを表示筐体の表示面内における表示画面よりも先端側に設ける場合に、通常オープン状態における通話時に受話音が聴取しづらくなるのを抑制させた携帯通信端末を提供することを目的としている。
【課題を解決するための手段】
【００１０】
本発明による携帯通信端末は、表示画面が設けられる表示面を有する表示筐体と、操作面を有する操作筐体と、表示筐体及び操作筐体を折り畳み可能に連結する連結部とからなり、上記表示面内における連結部とは反対側であって表示画面よりも先端側に設けられ、押圧部位に応じて２以上の異なる操作入力が可能な多機能キーと、上記表示面内における上記多機能キーの周辺部に形成され、通話時に受話音を出力するレシーバー用の音孔と、上記表示筐体に形成され、上記多機能キーが配置される係合孔と、上記表示面を凹ませて形成され、上記音孔の周辺を係合孔及び多機能キー間に生じる間隙に接続する受話音伝搬用の溝とを備えて構成される。
【００１１】
この様な構成により、多機能キーが配置される係合孔と多機能キーとの間に生じる間隙が受話音伝搬用の溝によってレシーバー用の音孔の周辺に接続されるので、音孔から放出された受話音が溝を介して上記間隙に効果的に伝搬される。これによって、受話音を多機能キーの周囲から放出させることができるので、受話音の拡散効果が向上する。従って、多機能キーを表示筐体の表示面内における連結部とは反対側であって表示画面よりも先端側に設ける場合に、音孔を表示筐体の中央からずらして配置しても、受話音の拡散効果が向上するので、音孔から放出される受話音が聴取しづらくなるのを抑制することができる。
【００１２】
本発明による携帯通信端末は、上記構成に加え、上記係合孔が、多機能キーを取り囲む側壁をテーパー状に傾斜させて形成されるように構成される。この様な構成により、側壁を傾斜させて係合孔が形成されるので、多機能キーの周囲における受話音の伝搬領域が増加する。これにより、音孔から出力された受話音の拡散効果をさらに向上させることができる。
【００１３】
また、本発明による携帯通信端末は、上記構成に加え、上記係合孔及び多機能キー間の間隙が、多機能キーの周囲を取り囲むように形成される音響溝であるように構成される。この様な構成によれば、音孔から出力された受話音を多機能キー周囲に効果的に拡散させることができるので、受話音の音質を向上させることができる。
【００１４】
また、本発明による携帯通信端末は、上記構成に加え、上記操作面内に設けられ、上下左右の押圧部位に応じて４つの異なる操作入力が可能なメイン多機能キーを備え、表示面及び操作面を同一方向に向けて両筐体を展開させた通常オープン状態と、表示面を外側に向けて折り畳んだ逆クローズ状態とを遷移可能な折り畳み式の携帯通信端末であって、上記表示面内における多機能キーが、上記メイン多機能キーと同一の操作を行うことにより、同一の操作入力を行うことが可能なサブ多機能キーであるように構成される。
【００１５】
特に、上記サブ多機能キーが、表示筐体の中央に配置され、上記音孔が、通常オープン状態における通話時に縦長状態で用いられる表示筐体において、サブ多機能キーの左側又は右側に配置されるように構成される。
【発明の効果】
【００１６】
本発明による携帯通信端末によれば、レシーバー用の音孔から放出された受話音が受話音伝搬用の溝を介して係合孔及び多機能キー間の間隙に効果的に伝搬されるので、受話音を多機能キーの周囲から放出させることができる。従って、多機能キーを表示筐体の表示面内における連結部とは反対側であって表示画面よりも先端側に設ける場合に、音孔を表示筐体の中央からずらして配置しても、受話音の拡散効果が向上するので、音孔から放出される受話音が聴取しづらくなるのを抑制することができる。
【発明を実施するための最良の形態】
【００１７】
実施の形態１．
図１（ａ）及び（ｂ）は、本発明の実施の形態１による携帯通信端末の概略構成の一例を示した平面図であり、２軸ヒンジ６を有する折り畳み式の携帯電話機１の外観が示されている。図１（ａ）には、表示面及び操作面を同一方向に向けて表示筐体２及び操作筐体３を展開させた「通常オープン状態」における様子が示され、図１（ｂ）には、表示面及び操作面を対向させて折り畳んだ「通常クローズ状態」における様子が示されている。
【００１８】
また、図２（ａ）及び（ｂ）は、図１の携帯電話機における他の端末状態の一例を示した平面図であり、図２（ａ）には、表示面及び操作面を反対方向に向けて両筐体を展開させた「逆オープン状態」における様子が示され、図２（ｂ）には、表示面を外側に向け操作面を内側に向けて折り畳んだ「逆クローズ状態」における様子が示されている。
【００１９】
本実施の形態による携帯電話機１は、表示筐体２における表示面内にサブ多機能キー２２が設けられ、逆クローズ状態においても通常オープン状態におけるのと同様の操作入力が行えるようになっている。
【００２０】
この携帯電話機１は、表示画面４が設けられる表示面を有する表示筐体２と、多数の操作キーからなる操作パネル５が設けられる操作面を有する操作筐体３と、表示筐体２及び操作筐体３を折り畳み可能に連結する２軸ヒンジ６からなる連結部により構成される。
【００２１】
連結部を形成する２軸ヒンジ６は、端末を折り畳むための第１回転軸７と、第１回転軸７に直交し、操作筐体３に対して表示筐体２を反転させるための第２回転軸８からなる。操作筐体３に対し、第１回転軸７を中心として表示筐体２を回転させれば、端末を開閉させることができる。また、操作筐体３に対し、第２回転軸８を中心として表示筐体２を１８０°回転させれば、操作面に対する表示面の向きを反転させることができる。
【００２２】
この様な２軸ヒンジ６機構によって、各種端末状態を遷移させることができる。具体的には、表示面及び操作面を対向させて折り畳んだ端末状態（以下、通常クローズ状態という）、表示面及び操作面を同一方向に向けて両筐体を展開させた通常オープン状態、表示面及び操作面を反対方向に向けて両筐体を展開させた端末状態（以下、逆オープン状態という）、表示面を外側に向け操作面を内側に向けて折り畳んだ逆クローズ状態が遷移可能となっている。
【００２３】
通常オープン状態は、携帯電話機１の最も基本的な使用時における端末状態である。通常クローズ状態は、携帯電話機１の最も基本的な収納時における端末状態であり、通常オープン状態から第１回転軸７を中心として表示筐体２を回転させ、表示面及び操作面がともに内側となるように折り畳んだ状態である。また、逆オープン状態は、通常オープン状態から第２回転軸８を中心として表示筐体２を１８０°回転させ、表示面及び操作面を反対方向に向けた状態である。
【００２４】
逆クローズ状態は、端末をコンパクトに収納させた状態であるにもかかわらず、表示画面４の閲覧が可能な端末状態である。逆クローズ状態は、逆オープン状態から第１回転軸７を中心として表示筐体２を回転させ、表示面が外側となるように折り畳んだ状態である。
【００２５】
操作筐体３は、制御回路や電源回路、入出力に関するインターフェースなどを収容する薄型の樹脂製キャビネットであり、一主面が操作面となっている。操作面内には、各種操作キーからなる操作パネル５と、通話時に送話音を入力するためのマイクロフォン用の音孔９が設けられている。音孔９は、操作筐体３における連結部とは反対側の先端部中央に形成されている。
【００２６】
操作パネル５には、各種操作キーとして、メインガイドキー１２、オンフックキー１３、オフフックキー１４、メイン多機能キー１５、メイン決定キー１６、テンキーが設けられている。テンキーは、電話番号入力や電子メール作成時における文字入力などに使用される操作キーである。
【００２７】
メインガイドキー１２及びメイン決定キー１６は、それぞれ使用状況に応じて割り当てられる機能が異なり、その機能割り当てが画面表示される操作キーである。これらのガイドキー１２及び１６は、ソフトキーまたはファンクションキーとも呼ばれている。
【００２８】
オンフックキー１３は、通話終了時に操作される操作キーであり、オフフックキー１４は、通話開始時に操作される操作キーである。
【００２９】
メイン多機能キー１５は、上下左右の押圧部位に応じて４つの異なる操作入力が可能な独立した１個の操作キーである。メイン多機能キー１５は、カーソル移動に好適であることから、一般に方向キーまたは十字キーと呼ばれているが、カーソルの移動専用ではなく、各押圧部位には、それぞれ異なる機能を割り当てることができる。例えば、左操作に着信履歴の閲覧、右操作にリダイヤル、上操作に伝言メモの閲覧、下操作にショートカットメニューの表示が割り当てられる。
【００３０】
このメイン多機能キー１５は、リング形状からなり、その中央には別個の操作キーであるメイン決定キー１６が配置されている。一般に、操作パネル５における各種操作キーのうち、メイン多機能キー１５が最も使用頻度が高く、次いでメインガイドキー１２やメイン決定キー１６などのガイドキーの使用頻度が高い。また、各種ガイドキーのうち、メイン決定キー１６が最も使用頻度が高い。このため、操作性を考慮して、メイン多機能キー１５の中央にメイン決定キー１６が配置されている。
【００３１】
表示筐体２は、一主面を表示面とする薄型の樹脂製キャビネットであり、表示面内にメインディスプレイとなる表示画面４が設けられている。表示画面４は、縦長の液晶パネルからなる。表示面に対向する他の主面上には、画面サイズがメインディスプレイよりも小さなサブディスプレイ２６が設けられている。
【００３２】
表示面内には、各種操作キーとして、サブガイドキー１９、オフフックキー２０、オンフックキー２１、サブ多機能キー２２、サブ決定キー２３が設けられている。また、表示面内には、通常オープン状態における通話時に、受話音を出力するためのレシーバー用の音孔１０と、逆クローズ状態における通話時に、受話音を出力するための音孔１１がそれぞれ形成されている。
【００３３】
音孔１０は、表示面内における連結部とは反対側であって、表示画面４よりも先端側に配置され、音孔１１は、表示画面４よりも連結部側の中央に配置されている。受話音は、端末状態に応じて音孔１０及び１１を択一的に選択して放出される。
【００３４】
各操作キー１９〜２３は、逆クローズ状態における操作性を考慮して、連結部とは反対側であって表示画面４よりも先端側に配置されている。また、表示面内に配置される各操作キー１９〜２３は、逆クローズ状態において使用され、通常オープン状態ではその操作入力が無効化される。これにより、端末操作者が意図しない操作入力が行われるのを防止することができる。
【００３５】
サブガイドキー１９は、メインガイドキー１２に対応付けられた操作キーであり、メインガイドキー１２と同一の操作入力を行うことができる。オフフックキー２０及びオンフックキー２１は、それぞれ操作筐体３におけるオフフックキー１４及びオンフックキー１３に対応付けられた操作キーである。また、サブ決定キー２３は、メイン決定キー１６に対応付けられた操作キーであり、メイン決定キー１６と同一の操作入力を行うことができる。
【００３６】
サブ多機能キー２２は、メイン多機能キー１５に対応付けられた操作キーである。すなわち、サブ多機能キー２２は、上下左右の押圧部位に応じて４つの異なる操作入力が可能な操作キーであり、メイン多機能キー１５と同一の操作を行うことにより、同一の操作入力を行うことができる。このサブ多機能キー２２は、メイン多機能キー１５と同様のリング形状からなり、その中央にサブ決定キー２３が配置されている。
【００３７】
一般に、表示筐体２は、表示面における連結部とは反対側について、中央部ほど長手方向の長さが長くなるようにその端面に丸みが設けられている。このため、表示面内における表示画面４よりも先端側領域は、表示画面４における短辺の中央が端部よりも広くなっている。そこで、サブ多機能キー２２は、表示筐体２における長手方向のサイズが増大するのを抑制するため、表示筐体２の中央に配置される。
【００３８】
このサブ多機能キー２２は、表示筐体２に形成される係合孔２５に配置されている。本実施の形態では、この様なサブ多機能キー２２の周辺部に上記音孔１０が配置され、この音孔１０と、係合孔２５及びサブ多機能キー２２間に生じる間隙とを連通する溝２４が形成されることを特徴としている。
【００３９】
溝２４は、表示面を凹ませて形成される受話音伝搬用の連通路であり、一端が音孔１０の周辺に接続され、他端が上記間隙に接続されている。これにより、音孔１０から放出された受話音が溝２４を介して上記間隙に効果的に伝搬されるので、受話音をサブ多機能キー２２の周囲から放出させることができ、受話音の拡散効果が向上する。従って、音孔１０を表示筐体２の中央からずらして配置しても、受話音の拡散効果が向上するので、音孔１０から放出される受話音が聴取しづらくなるのを抑制することができる。特に、端末操作者の耳によって音孔１０が塞がれるのが阻止され、通常オープン状態での通話時に受話音が聴取しづらくなるのを防止することができる。
【００４０】
ここでは、係合孔２５が、サブ多機能キー２２を取り囲む側壁をテーパー状に傾斜させて形成されるものとする。すなわち、係合孔２５は、外側が広くなるように、開口部周辺がすり鉢状となっている。これにより、サブ多機能キー２２の周囲における受話音の伝搬領域が増加するので、音孔１０から出力された受話音の拡散効果をさらに向上させることができる。
【００４１】
また、係合孔２５及びサブ多機能キー２２の間に生じる上記間隙は、サブ多機能キー２２を３６０°取り囲んで形成され、音孔１０からの受話音を拡散させる音響溝となっている。具体的には、幅が１ｍｍ、深さが０．５〜１ｍｍ程度の音響溝を形成することによって、好ましい音響特性が得られる。これによって、音孔１０から出力された受話音をサブ多機能キー２２周囲に効果的に分散させることができるので、受話音の音質を向上させることができる。
【００４２】
なお、音孔１０は、表示筐体２内部の空間と外部空間とを連通する連通路であり、通常オープン状態における通話時に縦長状態で用いられる表示筐体２において、サブ多機能キー２２の左側または右側（ここでは、左側とする）に配置される。
【００４３】
図３及び図４は、図１の携帯電話機における要部詳細を示した図であり、図３には、表示筐体２をＡ１−Ａ１線で切断した断面の様子が示され、図４には、Ａ２−Ａ２線で切断した断面の様子が示されている。また、図５は、図１の携帯電話機における表示筐体２をＢ−Ｂ線で切断した断面の様子を示した図である。係合孔２５に配置されるサブ多機能キー２２及びサブ決定キー２３は、ホルダー３５上にマウントされ、押圧部位ごとに異なる入力信号が出力される。
【００４４】
ホルダー３５は、後述するレシーバー３６の支持部材であり、表示筐体２内に配置される平板状の構造体となっている。すなわち、ホルダー３５には、前面側にサブ多機能キー２２及びサブ決定キー２３が配置され、背面側にレシーバー３６が配置されている。レシーバー３６は、受話音などの再生音を出力する音声出力手段であり、通常オープン状態における通話時に使用される。ここでは、表示面に平行に配置され、表示面に沿ってレシーバー３６及びホルダー３５間に間隙が形成されるものとする。
【００４５】
係合孔２５及びサブ多機能キー２２間の間隙３１と、係合孔２５の側壁に形成される傾斜面３２は、音響溝となっている。ホルダー３５の背面側に配置されるレシーバー３６は、ホルダー３５に設けられた貫通孔３４を介して中空領域３３に接続されている。
【００４６】
中空領域３３は、ホルダー３５の前面側に形成され、レシーバー３６による再生音を反射拡散させる音響空間となっている。この中空領域３３は、音孔１０を介して受話音伝搬用の溝２４と連通している。つまり、レシーバー３６により出力された受話音は、貫通孔３４を介して中空領域３３に伝搬し、音孔１０を介して溝２４に放出される。
【００４７】
ここでは、音孔１０及び貫通孔３４が重複しない位置に配置されるものとする。すなわち、音孔１０は、貫通孔３４に対向する表示面内の位置からずらして配置されている。これにより、表示筐体２内への水滴などの侵入を効果的に防止することができる。また、貫通孔３４を介して中空領域３３内に伝搬した受話音が直接に音孔１０から放出されるのが抑制され、中空領域３３内で受話音を十分に拡散させることができるので、音響効果を向上させることができる。
【００４８】
図６は、図１の携帯電話機における要部詳細を示した図であり、音孔１０から出力された受話音がサブ多機能キー２２周囲の音響溝から放出される様子が示されている。音孔１０から溝２４に伝搬した受話音は、音響溝としての間隙３１に伝搬し、サブ多機能キー２２の周囲に分散し前面側に向けて放出される。
【００４９】
本実施の形態によれば、レシーバー３６用の音孔１０から放出された受話音が受話音伝搬用の溝２４を介して係合孔２５及びサブ多機能キー２２間の間隙３１に効果的に伝搬されるので、受話音をサブ多機能キー２２の周囲から放出させることができる。従って、サブ多機能キー２２を表示筐体２の表示面内における連結部とは反対側であって表示画面４よりも先端側に設ける場合に、端末操作者の耳によって音孔が塞がれるのが阻止され、通常オープン状態での通話時に受話音が聴取しづらくなるのを防止することができる。
【００５０】
なお、本実施の形態では、音響溝として係合孔２５における傾斜面３２がサブ多機能キー２２を３６０°取り囲んで形成される場合の例について説明したが、本発明はこれに限られるものではない。すなわち、サブ多機能キー２２の周囲に受話音を拡散させてキー周辺から受話音を放出することができれば、傾斜面３２は、サブ多機能キー２２を３６０°取り囲んでいなくても良い。具体的には、受話音の拡散効果を高めるという観点から、音孔１０側を含んでサブ多機能キー２２の周囲を１８０°以上取り囲むように、傾斜面３２を形成するのが望ましい。
【００５１】
図７は、図１の携帯電話機における要部詳細を示した図であり、サブ多機能キー２２の周囲に形成される音響溝の他の例が示されている。この例では、係合孔２５の側壁に設けられる傾斜面３２がサブ多機能キー２２の周囲を２７０°程度取り囲んで形成されている。つまり、この傾斜面３２により形成される音響溝は、サブ多機能キー２２の周囲に９０°程度の音響溝非形成部分を有する馬蹄形状となっている。なお、音響溝非形成部分は、サブ多機能キー２２に関して音孔１０の反対側に形成されている。この様な構成によっても、受話音をサブ多機能キー２２の周囲に効果的に拡散させることができる。
【図面の簡単な説明】
【００５２】
【図１】本発明の実施の形態１による携帯通信端末の概略構成の一例を示した平面図であり、２軸ヒンジ６を有する折り畳み式の携帯電話機１の外観が示されている。
【図２】図１の携帯電話機における他の端末状態の一例を示した平面図である。
【図３】図１の携帯電話機における要部詳細を示した図であり、表示筐体２をＡ１−Ａ１線で切断した断面の様子が示されている。
【図４】図１の携帯電話機における要部詳細を示した図であり、Ａ２−Ａ２線で切断した断面の様子が示されている。
【図５】図１の携帯電話機における要部詳細を示した図であり、Ｂ−Ｂ線で切断した断面の様子が示されている。
【図６】図１の携帯電話機における要部詳細を示した図であり、音孔１０から出力された受話音がサブ多機能キー２２周囲の音響溝から放出される様子が示されている。
【図７】図１の携帯電話機における要部詳細を示した図であり、サブ多機能キー２２の周囲に形成される音響溝の他の例が示されている。
【符号の説明】
【００５３】
１  携帯電話機
２  表示筐体
３  操作筐体
４  表示画面
５  操作パネル
６  ２軸ヒンジ
７  第１回転軸
８  第２回転軸
９  マイクロフォン
１０，１１  音孔
１２  メインガイドキー
１３，２１  オンフックキー
１４，２０  オフフックキー
１５  メイン多機能キー
１６  メイン決定キー
１９  サブガイドキー
２２  サブ多機能キー
２３  サブ決定キー
２４  溝
２５  係合孔
２６  サブディスプレイ
３１  間隙
３２  傾斜面
３３  中空領域
３４  貫通孔
３５  ホルダー
３６  レシーバー
【図１】
2006129192.tif 000003
【図２】
2006129192.tif 000004
【図３】
2006129192.tif 000005
【図４】
2006129192.tif 000006
【図５】
2006129192.tif 000007
【図６】
2006129192.tif 000008
【図７】
2006129192.tif 000009